(57)【特許請求の範囲】
【請求項１】
ディスクから信号を読み取る光ピックアップと、
前記光ピックアップを前記ディスクの半径方向に搬送自在に支持する、互いに平行に配設された２本のガイド軸と、
前記ディスクを装着して駆動するディスク駆動機構と、
前記ディスク駆動機構を搭載したシャーシと、
前記２本のガイド軸がもつ計４つの端部のうちの３つの端部の、前記ディスクの厚み方向の高さ位置をそれぞれ独立に調整する３つの調整機構とを具備し、
前記個々の調整機構が、前記シャーシに立設された固定軸と、前記ガイド軸の端部を保持しつつ前記固定軸に従って移動可能なガイド軸保持部と、前記固定軸上の前記ガイド軸保持部の高さ位置を調整する手段とを備えたことを特徴とするディスク再生装置。
【発明の詳細な説明】
【０００１】
【発明の属する技術分野】
この発明は、ＣＤ−ＲＯＭ、ＤＶＤ（Digital Versatile Disc）等の光ディスクを再生するディスク再生装置に関する。
【０００２】
【従来の技術】
ＣＤ−ＲＯＭドライブ、ＤＶＤドライブ等の高密度記録の光ディスクを再生するディスクドライブにおいては、ディスク面に対する光ピックアップの光軸の垂直度（スキュー）がディスク読み取り性能に大きく影響する。特に高密度なＤＶＤディスクを再生するディスクドライブの場合、ディスク面に対する光ピックアップの光軸の垂直度に対して厳しい精度が要求される。
【０００３】
このようなスキューに影響を及す要素としては、ピックアップの光軸とガイド軸との傾き、ピックアップガイド軸とシャーシ基準面と傾き、シャーシ基準面とディスクモータ取付面との傾き、ディスクモータ取付面とモータ得との傾き、モータ軸とディスクテーブル面との傾きなどがあり、これらの部品精度の積み重ねにより決まる。
【０００４】
しかしながら、これらの部品精度には限界があることから、確保し得るスキューの精度にも限界がある。また、スキュー精度が得られるまでに部品精度を高めることが可能であるとしても、加工コストの上昇により、製品価格がつり上がってしまう。
【０００５】
そこで、次のような光ピックアップのスキュー調整機構が採用されている。
【０００６】
図５ないし図７にこの従来のスキュー調整機構を示す。これらの図において、光ピックアップ１４は、互いに平行に配設された２本のガイド軸３５、３６の間に掛け渡され、これら２本のガイド軸３５、３６において軸方向に搬送自在に支持されている。これら２本のガイド軸３５、３６はその両端部においてメカシャーシ３上に次のような構造で支持されている。
【０００７】
２本のガイド軸３５、３６における計４つの端部のうち３つの端部は、メカシャーシ３にアウトサート成形によって設けられた傾き調整カム３７の上に着座している。図７（ａ）に示すように、一方のガイド３５の両端部は各々傾き調整カム３７を介してメカシャーシ３上に支持され、また、図７（ｂ）に示すように、他方のガイド軸３６は、その一方端部が傾き調整カム３７を介してメカシャーシ３上に支持され、他方の端部はメカシャーシ５にアウトサート成形によって設けられた軸受け３８に拘束状態で支持されている。
【０００８】
図６に示すように、傾き調整カム３７の上面には外周に沿ってスパイラル状にカム３９が形成されている。また、この傾き調整カム３７の、メカシャーシ３の裏面より突出した部分３７ａには回転角調整のための六角穴が設けられており、この六角穴に六角形状ビット４０を挿入して傾き調整カム３７を回転させることによって、ガイド軸３５、３６の個々の端部の高さを微調整することができる。各ガイド軸３５、３６における４つの端部のうち１つの端部は、その他３つの端部の傾き調整カム３７を用いたスキュー調整時の基準の高さとするために、軸受け３８によってメカシャーシ３に対して固定の高さに支持されている。
【０００９】
また、各ガイド軸３５、３６は、傾き調整カム３７の各々の近傍位置で、軸受け４１によって、メカシャーシ面上での軸芯位置が変動しないように保持されている。さらに、各ガイド軸３５、３６は、傾き調整カム３７と軸受け４１との間の位置で、ねじりバネ４２によって上から弾性的に押え付けられている。これにより、ガイド軸３５、３６の高さ変動に追従しつつ傾き調整カム３７のカム面３９との間でガイド軸３５、３６を高さ方向の定位置に保持できるようにしている。  次に、この傾き調整カム３７によるスキュー調整の方法について説明する。まず、３つの傾き調整カム３７を各々回転させて各ガイド軸３５、３６を互いに平行に揃える。続いて、これら２本のガイド軸３５、３６により形成される面がディスク再生面と平行となるようにタンジェンシャル調整とラジアル調整を行う。  タンジェンシャル調整とは、光ピックアップのディスク反射面上でのビームスポットの移動軌跡（法線）の方向から見てディスク面に対して光ピックアップの光軸を直交させるための調整である。このタンジェンシャル調整は、両端部の高さを傾き調整カム３７により変位させることの可能な一方のガイド軸３５を他方のガイド軸３６に対して平行に昇降させる、つまりガイド軸３５の両側の各傾き調整カム３７を各々同じ方向に同じ回転量だけ回転させることによって行うことができる。
【００１０】
また、ラジアル調整とは上記法線に対してディスク面上で直交する方向から見てディスク面に対して光ピックアップの光軸を直交させるための調整である。したがって、このラジアル調整は、各ガイド軸３５、３６のディスク外周側端部の傾き調整カム３７を各々同じ方向に同じ回転量だけ回転させることによって行うことができる。
【００１１】
【発明が解決しようとする課題】
しかしながら、このような傾き調整カムを採用したスキュー調整機構の場合、ディスクドライブの小型軽量化たとえばメカシャーシサイズの縮小化を考えた場合、傾き調整カムをアウトサート成形するための領域をシャーシの平面に確保する必要からメカシャーシの縮小化を実現することは困難とされている。すなわち、傾き調整カムはその回転操作量に対してある程度の高さ変位量を確保することが求められ、そのためにはカムの外径もある程度大きくとる必要があり、このような必要を満足するためにメカシャーシ上の多くの領域が消費されていた。
【００１２】
本発明はこのような課題を解決するためのもので、メカシャーシ上でスキュー調整機構が占める平面スペースを縮小して装置全体の小形化に寄与することのできるディスク再生装置の提供を目的としている。
【００１３】
【課題を解決するための手段】
上記した目的を達成するために、本発明のディスク再生装置は、ディスクから信号を読み取る光ピックアップと、前記光ピックアップを前記ディスクの半径方向に搬送自在に支持する、互いに平行に配設された２本のガイド軸と、前記ディスクを装着して駆動するディスク駆動機構と、前記ディスク駆動機構を搭載したシャーシと、前記２本のガイド軸がもつ計４つの端部のうちの３つの端部の、前記ディスクの厚み方向の高さ位置をそれぞれ独立に調整する３つの調整機構とを具備し、前記個々の調整機構が、前記シャーシに立設された固定軸と、前記ガイド軸の端部を保持しつつ前記固定軸に従って移動可能なガイド軸保持部と、前記固定軸上の前記ガイド軸保持部の高さ位置を調整する手段とを備えたことを特徴とする。
【００１５】
本発明のディスク再生装置は、ガイド軸の端部を支持したガイド軸保持部を、ディスク駆動機構に装着されたディスクの厚み方向へ移動させて各ガイド軸の端部の高さ位置を微調整するように構成したから、メカシャーシ平面においてスキュー調整用の部品が占める面積の割合を、従来のメカシャーシにアウトサート成形された傾き調整カムを用いたものに比べ大幅に低減することができる。たとえば、本発明のディスク再生装置においては、少なくとも固定軸を立設するための領域がメカシャーシ平面に確保されていればよく、これによりメカシャーシの平面サイズを縮小することができ、装置全体の小形化に寄与することができる。
【００１６】
【発明の実施の形態】
以下、本発明を実施する場合の形態について説明する。
【００１７】
図１に示すように、本実施形態のディスク再生装置は、ディスクＤが搭載されるトレー９４がドライブ本体部としてのメインシャーシ８２に対して出し入れ自在とされている。トレー９４の両側面にはガイド突起７４が設けられている。これらのガイド突起７４はメインシャーシ８２に設けられたガイド凹部７６に嵌め込まれてこれにガイドされることにより、トレー９４はディスク面と平行に矢印Ａ−Ｂ方向に案内されるようになっている。なお、８１はこのディスク再生装置全体を収容する筐体である。
【００１８】
メインシャーシ８２内には、図１，図２，図３に示すように、ディスク再生機構を搭載したメカシャーシ９０をダンパーゴム等の複数の緩衝部材９１を介して支持して構成される再生メカユニット８４が配置されている。メカシャーシ９０には、ディスクモータ８８、光ピックアップ８９及び光ピックアップ送り機構等が搭載されている。ディスクモータ８８のモータ軸にはターンテーブル８７が取り付けられている。
【００１９】
また、図２及び図３に示すように、再生メカユニット８４のトレー挿入方向において奥側の両側面には回動軸８３が突設されており、これらの回動軸８３はメインシャーシ９０に設けられた図示しない軸保持部に回動自在に保持されている。また、再生メカユニット８４のトレー挿入方向手間側の面には回動案内軸８５が突設されており、この回動案内軸８５は図２において奥行方向にスライドするスライダ８６に設けられた案内溝（図示せず）に挿入・保持され、スライダ８６の移動に伴い、案内溝に沿って上下方向（ディスクＤの厚み方向）に案内される。これにより、再生メカユニット８４は、回動軸８５を支点として矢印Ｃ−Ｄ方向へ傾動し、ディスククランプを行うように構成されている。
【００２０】
また、図１及び図２に示すように、メインシャーシ８２にはクランパホルダ９３を介してクランパ９２が保持されている。さらに、メインシャーシ８２内にはトレーローディング及びディスククランプのための機構系が設けられている。
【００２１】
次に、本実施形態のディスク再生装置における、光ピックアップのスキュー調整機構について説明する。
【００２２】
図３および図４に本実施形態におけるスキュー調整機構を示す。これらの図において、光ピックアップ８９は、互いに平行に配設された２本のガイド軸である主軸６５と副軸６６の間に掛け渡され、これらの軸方向に搬送自在に支持されている。これら主軸６５および副軸６６は次のようなスキュー調整機構を介してメカシャーシ９０上に取り付けられている。
【００２３】
すなわち、主軸６５および副軸６６における計４つの端部のうち３つの端部は、スキュー調整機構６７を介してメカシャーシ９０に取り付けられている。ここでは、図３に示すように、副軸６６の両端部は共にスキュー調整機構６７を介して取り付けられ、主軸６５はその一方の端部のみがスキュー調整機構６７を介して取り付けられている。主軸６５の他方の端部は、スキュー調整時の基準の高さとするために、メカシャーシ９０にアウトサート成形された軸受け６８に拘束状態で支持されている。
【００２４】
図４にスキュー調整機構６７の詳細断面を示す。
【００２５】
同図に示すように、このスキュー調整機構６７は、メカシャーシ９０に立設された（たとえばカシメられた）固定軸１と、主軸（副軸）６５（６６）の端部を支持するガイド軸ホルダー２と、圧縮バネ３とから構成されている。ガイド軸ホルダー２には固定軸１を挿通する軸挿通穴４が設けられている。すなわち、ガイド軸ホルダー２は、その軸挿通穴４に挿通された固定軸１に沿って矢印Ｚ方向つまりディスクの厚み方向へ移動し得る構成とされている。
【００２６】
一方、固定軸１の一部周面には捩子溝５が切られている。この固定軸１の捩子溝５の形成された先端部分はガイド軸ホルダー２の軸挿通穴４より突出しており、この突出した固定軸１の捩子溝形成部にはテフロンナット６が外嵌螺合され、このテフロンナット６によって固定軸１からのガイド軸ホルダー２の落下阻止とともに固定軸１上のガイド軸ホルダー２の高さ位置の微調整が行われる。つまり、テフロンナット６の内周面には固定軸１の捩子溝５に適合する捩子溝７が設けられており、このテフロンナット６を回転させることによって、固定軸１（シャーシ９０）に対してガイド軸ホルダー２の高さ位置が微調整されるようになっている。
【００２７】
また、ガイド軸ホルダー２とメカシャーシ９０との間には固定軸１に対して同軸的に圧縮バネ３が介挿されており、この圧縮バネ３の圧力でガイド軸ホルダー２はテフロンナット６へ押しつけられている。これにより、固定軸１（シャーシ９０）に対してのガイド軸ホルダー２の高さ位置が安定に保たれている。
【００２８】
次に、このスキュー調整機構６７によるスキュー調整の具体的な方法について説明する。
【００２９】
まず、３か所のスキュー調整機構６７を各々回転させて主軸６５と副軸６６を互いに平行に揃える。続いて、これら主軸６５と副軸６６により形成される面がディスク記録面と平行となるようにタンジェンシャル調整とラジアル調整を行う。  タンジェンシャル調整とは、光ピックアップ８９のディスク反射面上でのビームスポットの移動軌跡（法線）の方向から見てディスク面に対して光ピックアップ８９の光軸を直交させるための調整である。このタンジェンシャル調整は、副軸６６を主軸６５に対して平行に昇降させる、つまり副軸６６の両端の各スキュー調整機構６７における、それぞれのガイド軸ホルダー２の高さ位置を決めるテフロンナット６を、互いに同じ方向に同じ回転量だけ回転させることによって行うことができる。
【００３０】
また、ラジアル調整とは上記法線に対してディスク面上で直交する方向から見てディスク面に対して光ピックアップ８９の光軸を直交させるための調整である。したがって、このラジアル調整は、主軸６５と副軸６６のディスク外周側端部を支持するスキュー調整機構６７における、それぞれのガイド軸ホルダー２の高さ位置を決めるテフロンナット６を、互いに同じ方向に同じ回転量だけ回転させることによって行うことができる。
【００３１】
かくして本実施形態のディスクドライブによれば、主軸６５および副軸６６の端部を支持したガイド軸ホルダー２を、メカシャーシ９０に立設された固定軸１に従ってディスクの厚み方向へ移動させることによって各ガイド軸の端部の高さ位置を微調整するスキュー調整機構を実現したことにより、メカシャーシ９０の平面においてスキュー調整部品が占める面積の割合を、従来のメカシャーシ９０にアウトサート成形された傾き調整カムを用いたものに比べ大幅に低減することができる。すなわち、本実施形態のディスクドライブにおいては、少なくとも固定軸１を立設するための領域がメカシャーシ９０において確保されていればよく、この結果、メカシャーシ９０の平面サイズを縮小することができ、ディスクドライブの小形化に寄与することができる。
【００３２】
【発明の効果】
以上説明したように本発明のディスク再生装置によれば、ガイド軸の端部を支持したガイド軸保持部を、ディスク駆動機構に装着されたディスクの厚み方向へ移動させて各ガイド軸の端部の高さ位置を微調整するように構成したから、メカシャーシ平面においてスキュー調整用の部品が占める面積の割合を、従来のメカシャーシにアウトサート成形された傾き調整カムを用いたものに比べ大幅に低減することができる。たとえば、本発明のディスク再生装置においては、少なくとも固定軸を立設するための領域がメカシャーシ平面に確保されていればよく、これによりメカシャーシの平面サイズを縮小することができ、装置全体の小形化に寄与することができる。
【図面の簡単な説明】
【図１】本発明の実施形態のディスク再生装置の全体的な構成を示す斜視図である。
【図２】図１のディスク再生装置の側面断面図である。
【図３】図１のディスク再生装置の光ピックアップのスキュー調整機構の構成を示す図である。
【図４】図３のスキュー調整機構の詳細を示す断面図である。
【図５】従来のディスク再生装置のメカユニットの構成を示す図である。
【図６】従来のスキュー調整機構の詳細を示す斜視図である。
【図７】従来のスキュー調整機構の詳細を示す断面図である。
【符号の説明】
１    固定軸
２    ガイド軸ホルダー
３    圧縮バネ
５，７    捩子溝
６    テフロンナット
６５    主軸
６６    副軸
６７    スキュー調整機構
６８    軸受け
８９    光ピックアップ
９０    メカシャーシ
【図１】
0003934783.tif 000002
【図２】
0003934783.tif 000003
【図３】
0003934783.tif 000004
【図４】
0003934783.tif 000005
【図５】
0003934783.tif 000006
【図６】
0003934783.tif 000007
【図７】
0003934783.tif 000008